【手続補正書】
【提出日】平成27年3月6日(2015.3.6)
【手続補正１】
【補正対象書類名】明細書
【補正対象項目名】００１６
【補正方法】変更
【補正の内容】
【００１６】
【図１】本発明のシステムの１つの実施形態を示す図である。
【図２Ａ】試料の透過照明を用いる、図１のシステムに適応された監視カメラシステムを示す図である。
【図２Ｂ】試料の落射照明を用いる、図１のシステムに適応された監視カメラシステムを示す図である。
【図３】本発明の１つの実施形態により生成される分散画像の概略図である。
【図４Ａ】図３のシステムにより生成される分散画像を読み取るために用いられる異なるタイプの撮像センサの概略図である。
【図４Ｂ】図３のシステムにより生成される分散画像を読み取るために用いられる異なるタイプの撮像センサの概略図である。
【図４Ｃ】図４Ａおよび４Ｂに示されているような撮像センサを用いて得られるとおりの、デジタル化されたレコードの水平行の例解である。
【図５】複数のマイクロ流体チャネルおよび単一の撮像センサを用いる本発明のシステムの１つの実施形態の概略図である。
【図６】本発明のシステムの１つの実施形態を用いて対象となる試料として液滴を用いて得られる典型的なデータの１例と、結果の解釈の図示と、を示す図である。
【図７】本発明のシステムの１つの実施形態を用いて対象となる試料として単相流を用いて得られる典型的なデータの１例を示す図である。
【手続補正２】
【補正対象書類名】特許請求の範囲
【補正対象項目名】全文
【補正方法】変更
【補正の内容】
【特許請求の範囲】
【請求項１】
試料からの光のスペクトル特性を検出および計測するためのシステムであって、前記システムは、
複数のマイクロ流体チャネルを有するマイクロ流体ハウジングであって、前記マイクロ流体チャネルは、前記試料の流体流れに対応することができるように構成される、マイクロ流体ハウジングと、
単一の分散要素を備える光学トレインと、
撮像センサと、を備え、
各マイクロ流体チャネル内にある前記試料の流体流れからの光は、前記単一の分散要素によりスペクトル分散され、前記光のスペクトル特性は、前記試料と前記撮像センサとの間の相対運動の関数として前記撮像センサ上である期間にわたって計測される、システム。
【請求項２】
前記光は、試料の照射後に試料から散乱された光、前記試料中の化学的プロセスによる化学発光として放出される光、または前記試料にめがけた広帯域光源の指向の後における光の選択的吸収の結果として前記試料を通して透過された光を含む、請求項１に記載のシステム。
【請求項３】
前記光は、前記試料の励起後に蛍光として放出される光を含み、前記試料は１つ以上の蛍光標識を含む、請求項１に記載のシステム。
【請求項４】
前記試料は光源により励起され、前記光源は、レーザ、発光ダイオード（ＬＥＤ）、アークランプ、高輝度電球、またはそれらの組み合わせを含む群から選択される、請求項３に記載のシステム。
【請求項５】
前記試料は、単相流、不連続的なターゲット、ビーズを含む不連続的なターゲット、細胞を含む不連続的なターゲット、液滴、マイクロ流体装置内のエマルジョン内に存在する試料、またはそれらの組み合わせを含む群から選択される、請求項１に記載のシステム。
【請求項６】
前記光のスペクトル特性は波長および／または強度を含む、請求項１に記載のシステム。
【請求項７】
前記撮像センサは、単一のモノクローム光センサ、光センサの画素アレイ、１次元（ライン）における光センサの画素アレイ、２次元（グリッド）における光センサの画素アレイ、時間遅延積分（ＴＤＩ）センサ、またはそれらの組み合わせを含む群から選択される、請求項１に記載のシステム。
【請求項８】
前記単一の分散要素は、回折格子、平面透過格子、平面反射格子、分散プリズム、ゼロ偏角（直視）プリズム装置、またはそれらの組み合わせを含む群から選択される、請求項１に記載のシステム。
【請求項９】
前記試料の流れを観察する監視カメラシステムをさらに備える、請求項１に記載のシステム。
【請求項１０】
前記監視カメラシステムは、透過照明位置から前記試料を照明する監視光源システムをさらに備える、請求項９に記載のシステム。
【請求項１１】
前記監視カメラシステムは、落射照明位置から前記試料を照明する監視光源システムをさらに備える、請求項９に記載のシステム。
【請求項１２】
前記試料の流れを観察する監視カメラシステムであって、前記監視カメラシステムは、前記光源に加えてまたは代わりに前記試料を照明する監視光源システムをさらに備える、監視カメラシステム、をさらに備える、請求項４に記載のシステム。
【請求項１３】
前記監視カメラシステムは、高速流動する液滴または粒子を撮像するためにストロボ発光される、請求項９に記載のシステム。
【請求項１４】
ある期間にわたる光の計測結果は、連続的な時間的期間の間に前記ＴＤＩセンサ上で重ね合わされる、請求項７に記載のシステム。
【請求項１５】
重ね合わされた光の計測結果は、前記試料中の複数の構成要素の正体および濃度を判定するために数学的に成分分解される、請求項１４に記載のシステム。
【請求項１６】
複数の試料の中に存在する各試料からの光のスペクトル特性をスケーラブルに、同時に、検出および計測するためのシステムであって、前記システムは、
複数のマイクロ流体チャネルを有するマイクロ流体ハウジングであって、前記マイクロ流体チャネルは、前記試料の流体流れに対応することができるように構成される、マイクロ流体ハウジングと、
単一の分散要素を備える光学トレインと、
撮像センサと、を備え、
各マイクロ流体チャネル内にある前記試料の各流体流れからの光は、前記単一の分散要素によりスペクトル分散され、前記光のスペクトル特性は、各特定の試料と前記撮像センサとの間の相対運動の関数として前記撮像センサ上である期間にわたって計測される、システム。
【請求項１７】
前記光は、試料の照射後に前記試料から散乱された光、前記試料中の化学的プロセスによる化学発光として放出される光、または前記試料にめがけた広帯域光源の指向の後における光の選択的吸収の結果として前記試料を通して透過された光を含む、請求項１６に記載のシステム。
【請求項１８】
前記光は、試料の励起後に蛍光として放出される光を含み、前記試料は１つ以上の蛍光標識を含む、請求項１６に記載のシステム。
【請求項１９】
前記試料は光源により励起され、前記光源は、レーザ、発光ダイオード（ＬＥＤ）、アークランプ、高輝度電球、またはそれらの組み合わせを含む群から選択される、請求項１８に記載のシステム。
【請求項２０】
前記複数の試料のそれぞれは、単相流、不連続的なターゲット、ビーズを含む不連続的なターゲット、細胞を含む不連続的なターゲット、液滴、マイクロ流体装置内のエマルジョン内に存在する試料、またはそれらの組み合わせを含む群から選択される、請求項１６に記載のシステム。
【請求項２１】
前記光のスペクトル特性は波長および／または強度を含む、請求項１６に記載のシステム。
【請求項２２】
前記撮像センサは、光センサの画素アレイ、光センサの画素アレイ、１次元（ライン）における光センサの画素アレイ、２次元（グリッド）における光センサの画素アレイ、時間遅延積分（ＴＤＩ）センサ、またはそれらの組み合わせを含む群から選択される、請求項１６に記載のシステム。
【請求項２３】
前記単一の分散要素は、回折格子、平面透過格子、平面反射格子、分散プリズム、ゼロ偏角（直視）プリズム装置、またはそれらの組み合わせを含む群から選択される、請求項１６に記載のシステム。
【請求項２４】
前記複数の試料のそれぞれは、前記撮像センサの別個の領域上に投影される撮像範囲を有する、請求項１６に記載のシステム。
【請求項２５】
請求項１〜２４のいずれか一項に記載のシステムを備える、光のスペクトル特性の検出および計測のための方法。
【請求項２６】
請求項２５に記載の方法を実行するためのキット。